(57)【特許請求の範囲】
【請求項１】
動力源を収容する本体と、
前記本体に設けられ、かつ、使用者に操作されて前記本体に対して移動することで、前記動力源の駆動に対応する第１状態と、前記動力源の停止に対応する第２状態とを切り替え可能なトリガと、
を備えた動力工具であって、
前記トリガを前記第１状態に保持するロック状態、及び前記トリガが前記第１状態と前記第２状態とで切り替わることを許容するアンロック状態を有するトリガ固定部と、
前記トリガと前記トリガ固定部とを接続し、前記トリガ固定部を前記ロック状態と前記アンロック状態で切り替え可能に支持する支持部と、
を有し、
前記トリガ固定部の前記ロック状態から前記アンロック状態への切り替えは、使用者が前記トリガ固定部を操作することで行われ、
前記トリガ固定部を使用者が操作せず、かつ、前記トリガが前記第１状態にあると、前記トリガ固定部は前記トリガを前記第１状態に保持し、
前記トリガ固定部を使用者が操作し、かつ、前記トリガが前記第１状態から前記第２状態に切り替わっても、前記トリガ固定部は、前記トリガを前記第２状態に保持しない、動力工具。
【請求項２】
前記トリガ固定部は、使用者の操作により前記支持部を中心として回動して、前記ロック状態と前記アンロック状態とに切り替わる、請求項１記載の動力工具。
【請求項３】
前記トリガは、使用者が操作する操作部を有し、
前記トリガ固定部は、
前記トリガ固定部を前記ロック状態にする際に使用者が操作する第１副操作部と、
前記トリガ固定部を前記ロック状態から前記アンロック状態にする際に使用者が操作する第２副操作部と、
を有し、
前記第２副操作部は、前記操作部と前記第１副操作部との間に配置されている、請求項１または２記載の動力工具。
【請求項４】
前記トリガ固定部は、前記本体に対して係合及び解放可能であり、
前記トリガ固定部が前記本体に係合されて前記ロック状態にあると、前記トリガ固定部は前記トリガを前記第１状態に保持し、
前記トリガ固定部が前記本体から解放されて前記アンロック状態にあると、前記トリガは前記第１状態から前記第２状態に切り替わることが可能である、請求項１記載の動力工具。
【請求項５】
動力源を収容する本体と、
前記本体に設けられ、かつ、使用者に操作されて前記本体に対して移動することで、前記動力源の駆動に対応する第１状態と、前記動力源の停止に対応する第２状態とを切り替え可能なトリガと、
を備えた動力工具であって、
前記トリガを前記第１状態に保持するロック状態、及び前記トリガが前記第１状態と前記第２状態とで切り替わることを許容するアンロック状態を有するトリガ固定部と、
前記トリガと前記トリガ固定部とを接続し、前記トリガ固定部を前記ロック状態と前記アンロック状態で切り替え可能に支持する支持部と、
を有し、
前記トリガ固定部の前記ロック状態から前記アンロック状態への切り替えは、使用者が前記トリガ固定部を操作することで行われ、
前記トリガ固定部は、前記本体に対して係合及び解放可能であり、
前記トリガ固定部が前記本体に係合されて前記ロック状態にあると、前記トリガ固定部は前記トリガを前記第１状態に保持し、
前記トリガ固定部が前記本体から解放されて前記アンロック状態にあると、前記トリガは前記第１状態から前記第２状態に切り替わることが可能であり、
使用者が前記トリガ固定部を操作して前記トリガを前記第１状態にすると、前記トリガ固定部は前記アンロック状態となり、
使用者が前記トリガ固定部を操作せずに前記トリガを操作して、前記トリガを前記第１状態にすると、前記トリガ固定部は前記ロック状態になる、動力工具。
【請求項６】
前記トリガ固定部を前記ロック状態から前記アンロック状態にすることにより、前記トリガは、前記第１状態から前記第２状態に移動可能になる、請求項５記載の動力工具。
【請求項７】
前記本体は、前記トリガを支持する回動軸を有し、
前記トリガは、前記回動軸を中心として回動することにより、前記第１状態と前記第２状態とに切り替わる、請求項１乃至６の何れか１項記載の動力工具。
【請求項８】
前記トリガ固定部は、前記支持部を中心とする回動角度に応じて、前記ロック状態と前記アンロック状態とに切り替わる、請求項２記載の動力工具。
【請求項９】
前記支持部は、支持軸であり、
前記支持軸と前記回動軸とが平行に配置されており、
前記回動軸は、前記支持軸の径方向で前記支持軸から離間して設けられている、請求項７記載の動力工具。
【請求項１０】
前記本体は、ピンを有し、
前記トリガ固定部は、前記ピンに係合及び解放可能なフックを有し、
前記トリガが前記第１状態にあり、かつ、前記フックが前記ピンと係合すると、前記トリガ固定部が前記ロック状態になる、請求項８または９記載の動力工具。
【請求項１１】
前記トリガ固定部の移動方向は、前記トリガが前記第１状態と前記第２状態とで切り替わる際に移動する方向に対して交差し、
前記トリガ固定部の前記ロック状態及び前記アンロック状態は、前記トリガに対する前記トリガ固定部の位置に応じて定まる、請求項１乃至１０の何れか１項記載の動力工具。
【請求項１２】
前記フックは、前記トリガ固定部の移動方向における端部に設けられている、請求項１０記載の動力工具。
【請求項１３】
前記動力源はモータであり、
前記動力源を駆動する際にオンし、かつ、前記動力源を停止する際にオフするスイッチが、前記本体に設けられ、
前記トリガは、前記第１状態にあると前記スイッチをオンする、請求項１乃至１２の何れか１項記載の動力工具。 
【発明の詳細な説明】
【技術分野】
【０００１】本発明は、トリガを操作することによって動力源の駆動及び停止が制御される動力工具の構造に関する。
【背景技術】
【０００２】ハンマやハンマドリル等の動力工具は、本体内に設けた動力源と、動力源の動力で動作する先端工具と、動力源の駆動及び停止を切り替えるトリガと、を有する。使用者がハンドルを手で把持した状態で、ハンドルに装着されたトリガを指で操作すると、動力源を駆動及び停止可能である。動力源が駆動すると、本体の先端に設けられた作業部材を動作させることができる。トリガは、動力源を駆動させるための第１状態と、動力源を停止させるための第２状態とで切り替え可能である。使用者がトリガに操作力を加えない限り、トリガは第２状態に保持される。【０００３】一方、作業の内容によっては、動力源を長時間に亘って駆動し続ける場合がある。こうした場合のために、トリガを第１状態に固定するためのロック機構が設けられる。ロック機構を有する動力工具は、例えば、特許文献１に記載されている。【０００４】特許文献１に記載された動力工具は、トリガを操作すると、ハンドル内に設けられたスイッチがオンし、動力源が駆動する。また、ハンドルにロックレバーが設けられ、ロックレバーを操作すると、トリガに加わる操作力が解除された後も、トリガは、スイッチのオンが維持されるように、第１状態に維持される。そして、解除ボタンを押すと、ロックレバーが元の位置にもどり、スイッチがオフされ、かつ、トリガは第２状態に戻る。【０００５】また、ロック機構と、トリガと組み合わせた構成を有する動力工具のハンドルの構造を図８Ａ、図８Ｂに示す。図８Ａ、図８Ｂに示すハンドルの構造は、本出願人が検討した比較例である。図８Ａは、使用者がトリガを操作しておらず、トリガが第２状態、つまり、スイッチがオフで停止している例を示す。図８Ｂは、使用者がトリガを操作して、トリガが第１状態、つまり、スイッチがオンの状態で固定されている例を示す。ここでは、前後方向に沿った断面が示されており、前後、上下方向の向きは図示されたとおりである。【０００６】ここで、本体内に、動力工具に用いられるモータが収容されている。本体の一部を構成するハンドル２０内に、モータへの電力供給のオン・オフを制御するスイッチ１０が設けられている。スイッチ１０には、前後方向で移動可能なように前方に突出したスイッチピン１０Ａが設けられている。スイッチピン１０Ａが前方に突出した図８Ａの状態が、スイッチ１０のオフである。スイッチピン１０Ａが前方に突出せず後方にある図８Ｂの状態が、スイッチ１０のオンである。スイッチピン１０Ａは、図示しないスプリングにより前方に付勢されている。スイッチピン１０Ａに外力が加わらない限り、スイッチピン１０Ａは図８Ａの状態にある。【０００７】硬質の弾性材料で構成されたトリガ８０は、ハンドル２０においてスイッチピン１０Ａの右側に設けられている。スイッチ１０の下側に第１の回動軸８０Ａが設けられている。トリガ８０は、第１の回動軸８０Ａを中心として、図８Ａで矢印Ｂ１のようにハンドル２０に対して回動可能である。この際、トリガ８０は、図中時計回りに付勢されている。このため、使用者がトリガ８０を図中反時計回りに操作することによって、スイッチピン１０Ａを後方に押し込み、図８Ｂに示されるようにスイッチ１０をオンさせることができる。トリガ８０に操作力が加わらない場合は、図８Ａに示されるようにスイッチ１０はオフである。【０００８】ここで、トリガ８０の上部には、第２の回動軸９０Ａを介してトリガ固定部９０が取り付けられている。トリガ固定部９０は、第２の回動軸９０Ａを中心として、図８Ａに矢印Ｂ２で示されるように、トリガ８０に対して回動可能である。トリガ固定部９０は、図中時計回りに付勢されている。トリガ固定部９０の左端にはフック９１が設けられ、ハンドル２０には、フック９１が係合可能である。図中、紙面の垂直方向に延伸するピン２１が設けられている。図８Ａの状態においては、フック９１はピン２１に係合しておらず、ピン２１から離間している。また、図８Ａの状態で、トリガ８０の上部はハンドル２０の上部に設けられたトリガ支持部２２に係止されて支持される。【０００９】図８Ａの状態から、使用者がトリガ８０を操作して反時計回りに回動させ、かつ、トリガ固定部９０を反時計回りに回動させることによって、図８Ｂに示されるように、フック９１をピン２１に係合させることができる。このため、トリガ８０は時計回りに付勢されているものの、図８Ｂの状態では、トリガ固定部９０のフック９１がピン２１に係止され、トリガ８０及びトリガ固定部９０は固定される。これによって、使用者がトリガ８０に触れない状態で、スイッチ１０のオン状態を継続させることができる。すなわち、トリガ８０を第１状態で固定することができる。【００１０】一方、トリガ８０を第１状態から解除するためには、トリガ８０を図８Ｂに示す状態から、図８Ｂにおける矢印Ｂ３に示されるように、トリガ８０に力を加えればよい。トリガ８０が固定された状態でも、スイッチピン１０Ａは後方にわずかに移動可能であり、トリガ８０に引き代がある。このため、トリガ固定部９０は図で左側に移動し、かつ、トリガ固定部９０は時計回りに付勢され、トリガ固定部９０が、図８Ｂに矢印Ｂ４で示されるようにトリガ８０に対して時計回りに回動する。このため、フック８１がピン２１から解放される。この状態で使用者がトリガ８０から手を離せば、トリガ８０は図中時計回りに回動し、トリガ８０は、再び図８Ａの状態となり、スイッチ１０はオフする。上記のようにトリガ８０を、スイッチ１０のオンに対応する第１状態で固定せずに、トリガ８０から手を離してスイッチ１０をオフさせる場合、使用者は、トリガ固定部９０には触れずにトリガ８０のみを操作すればよい。【００１１】こうした構造によって、トリガ８０を操作してモータの駆動及び停止を制御する。通常は、トリガ８０から手を離した場合には、スイッチ１０は自動的にオフとなる。必要に応じてトリガ８０から手を離した場合にも、トリガ８０を、スイッチ１０がオンとなる第１状態に保持することができる。
【先行技術文献】
【特許文献】
【００１２】
【特許文献１】特開２０１６−６８１９０号公報
【発明の概要】
【発明が解決しようとする課題】
【００１３】図８Ａ、図８Ｂの構成において、図８Ｂの状態で、使用者が誤ってトリガ８０に触れた場合や、トリガ８０に何かの部材が接した場合、あるいは強い振動が加わった場合には、トリガ８０の固定が解除され、不意にスイッチ１０がオフされることがあった。一方、特許文献１に記載の構造の場合には、こうした誤作動は発生しにくいが、トリガ以外の別部品として解除ボタンが必要であり、部品点数が多くなり構造が複雑となった。【００１４】このため、トリガをオンに固定した状態から、誤って解除されることを抑制でき、かつ単純な構造の動力工具が望まれた。【００１５】本発明は、かかる問題点に鑑みてなされたものであり、上記の問題点を解決することの可能な動力工具を提供することを目的とする。
【課題を解決するための手段】
【００１６】
一実施形態の動力工具は、動力源を収容する本体と、前記本体に設けられ、かつ、使用者に操作されて前記本体に対して移動することで、前記動力源の駆動に対応する第１状態と、前記動力源の停止に対応する第２状態とを切り替え可能なトリガと、を備えた動力工具であって、前記トリガを前記第１状態に保持するロック状態、及び前記トリガが前記第１状態と前記第２状態とで切り替わることを許容するアンロック状態を有するトリガ固定部と、前記トリガと前記トリガ固定部とを接続し、前記トリガ固定部を前記ロック状態と前記アンロック状態で切り替え可能に支持する支持部と、を有し、前記トリガ固定部の前記ロック状態から前記アンロック状態への切り替えは、使用者が前記トリガ固定部を操作することで行われ、前記トリガ固定部を使用者が操作せず、かつ、前記トリガが前記第１状態にあると、前記トリガ固定部は前記トリガを前記第１状態に保持し、前記トリガ固定部を使用者が操作し、かつ、前記トリガが前記第１状態から前記第２状態に切り替わっても、前記トリガ固定部は、前記トリガを前記第２状態に保持しない。
他の実施形態の動力工具は、動力源を収容する本体と、前記本体に設けられ、かつ、使用者に操作されて前記本体に対して移動することで、前記動力源の駆動に対応する第１状態と、前記動力源の停止に対応する第２状態とを切り替え可能なトリガと、を備えた動力工具であって、前記トリガを前記第１状態に保持するロック状態、及び前記トリガが前記第１状態と前記第２状態とで切り替わることを許容するアンロック状態を有するトリガ固定部と、前記トリガと前記トリガ固定部とを接続し、前記トリガ固定部を前記ロック状態と前記アンロック状態で切り替え可能に支持する支持部と、を有し、前記トリガ固定部の前記ロック状態から前記アンロック状態への切り替えは、使用者が前記トリガ固定部を操作することで行われ、前記トリガ固定部は、前記本体に対して係合及び解放可能であり、前記トリガ固定部が前記本体に係合されて前記ロック状態にあると、前記トリガ固定部は前記トリガを前記第１状態に保持し、前記トリガ固定部が前記本体から解放されて前記アンロック状態にあると、前記トリガは前記第１状態から前記第２状態に切り替わることが可能であり、使用者が前記トリガ固定部を操作して前記トリガを前記第１状態にすると、前記トリガ固定部は前記アンロック状態となり、使用者が前記トリガ固定部を操作せずに前記トリガを操作して、前記トリガを前記第１状態にすると、前記トリガ固定部は前記ロック状態になる。
【発明の効果】
【００１７】一実施形態の動力工具は、トリガを第１状態に保持する機能が、誤って解除されることを抑制でき、かつ、単純な構造の動力工具を得ることができる。
【図面の簡単な説明】
【００１８】
【図１】本発明の実施の形態である動力工具の全体構成を示す断面図である。
【図２Ａ】動力工具に設けるトリガ及びトリガ固定部の具体例１であり、トリガが第２状態にある断面図である。
【図２Ｂ】動力工具に設けるトリガ及びトリガ固定部の具体例１であり、トリガが第１状態にある断面図である。
【図２Ｃ】動力工具に設けるトリガ及びトリガ固定部の具体例１であり、第１状態にあるトリガのロックを解除する際の断面図である。
【図３Ａ】動力工具に設けるトリガ及びトリガ固定部の具体例２であり、トリガが第２状態にある断面図である。
【図３Ｂ】動力工具に設けるトリガ及びトリガ固定部の具体例２であり、トリガが第１状態にある断面図である。
【図３Ｃ】動力工具に設けるトリガ及びトリガ固定部の具体例２であり、第１状態にあるトリガのロックを解除する際の断面図である。
【図４Ａ】動力工具に設けるトリガ及びトリガ固定部の具体例３であり、トリガが第２状態にある断面図である。
【図４Ｂ】動力工具に設けるトリガ及びトリガ固定部の具体例３であり、トリガが第１状態にある断面図である。
【図４Ｃ】動力工具に設けるトリガ及びトリガ固定部の具体例３であり、トリガ固定部がロック状態にある断面図である。
【図５Ａ】動力工具に設けるトリガ及びトリガ固定部の具体例４であり、トリガが第２状態にある断面図である。
【図５Ｂ】動力工具に設けるトリガ及びトリガ固定部の具体例４であり、トリガが第１状態にある断面図である。
【図５Ｃ】動力工具に設けるトリガ及びトリガ固定部の具体例４であり、トリガ固定部がロック状態にある断面図である。
【図６Ａ】動力工具に設けるトリガ及びトリガ固定部の具体例５であり、トリガが第２状態にある断面図である。
【図６Ｂ】動力工具に設けるトリガ及びトリガ固定部の具体例５であり、トリガが第１状態にある断面図である。
【図６Ｃ】動力工具に設けるトリガ及びトリガ固定部の具体例５であり、トリガ固定部がロック状態にある断面図である。
【図６Ｄ】動力工具に設けるトリガ及びトリガ固定部の具体例５であり、トリガを操作する前にトリガ固定部を操作する例の断面図である。
【図７】動力工具に設けるトリガ及びトリガ固定部の具体例６を示す断面図である。
【図８Ａ】本出願人が検討した比較例である動力工具におけるトリガ及びトリガ固定部の構造であり、トリガが第２状態にある例を示す断面図である。
【図８Ｂ】本出願人が検討した比較例である動力工具におけるトリガ及びトリガ固定部の構造であり、トリガが第１状態にある例を示す断面図である。
【発明を実施するための形態】
【００１９】本発明の一実施形態である動力工具の構成について、図面を用いて説明する。
【００２０】図１は、動力工具１００の構成を示す断面図である。動力工具１００は、ハンマである。動力工具１００は、本体１を有し、本体１は、モータケース１Ａ、ハンドル２０、ハンマケース１Ｂ、ギヤケース１Ｃ及び制御ケース１Ｄを有する。モータケース１Ａはギヤケース１Ｃに固定され、ハンマケース１Ｂはギヤケース１Ｃに固定されている。制御ケース１Ｄはモータケース１Ａに固定されている。ハンドル２０Ａは、第１接続部２０Ｄ及び第２接続部２０Ｅを有し、第１接続部２０Ｄはギヤケース１Ｃに接続され、第２接続部２０Ｅは、制御ケース１Ｄに接続されている。ハンドル２０とモータケース１Ａとの間に空間９７が形成されている。電力ケーブル２０Ｆがハンドル２０に接続されており、電力ケーブル２０Ｆは、プラグを介して交流電源に接続または遮断される。制御ケース１Ｄ内に制御部１４１が設けられている。制御部１４１は、演算部、記憶部を有するマイクロコンピュータである。
【００２１】モータケース１Ａ内に、動力源としての電動モータ５０が設けられている。電動モータ５０は、ロータ５０Ａ及びステータ５０Ｂを有する。ステータ５０Ｂは、通電用のコイルを有し、コイルはインバータ回路を介して電源に接続される。制御部１４１はインバータ回路を接続または遮断する。回転軸５１がロータ５０Ａに固定されている。回転軸５１は、中心線Ｄ１を中心として回転可能である。回転軸５１の回転力は、減速機構５５を介してクランク機構５６に伝達される。減速機構５５およびクランク機構５６は、ギヤケース１Ｃ内に設けられている。クランク機構５６は、ピストン５３に連結され、ピストン５３はシリンダ５２内に配置されている。シリンダ５２は、ハンマケース１Ｂ内に設けられている。ピストン５３は、シリンダ５２の中心線Ｄ２方向に移動可能である。クランク機構５６は、回転軸５１の回転力をピストン５３の往復運動力に変換する。シリンダ５２内に打撃子５７が設けられ、打撃子５７とピストン５３との間に空気圧室５８が形成されている。ピストン５３の動作によって空気圧室５８の圧力が上昇し、打撃子５７が打撃される。
【００２２】ハンマケース１Ｂ内に筒形状の工具保持部５４が設けられ、工具保持部５４により中間打撃子５９及び先端工具が保持される。打撃子５７の打撃力は中間打撃子５９を介して先端工具に伝達され、先端工具に前方向きの打撃力が加えられる。
【００２３】動力工具１００の前後方向は、中心線Ｄ２に沿った方向、もしくは中心線Ｄ２と平行な方向である。動力工具１００の上下方向は、中心線Ｄ１に沿った方向、もしくは中心線Ｄ１と平行な方向である。動力工具１００の側面視、つまり、中心線Ｄ２を含む側面視で、中心線Ｄ２と中心線Ｄ１とが直角に交差して配置されている。動力工具１００の前後方向、つまり、中心線Ｄ２方向において、モータケース１Ａは、ハンマケース１Ｂとハンドル２０との間に配置されている。
【００２４】ハンドル２０は中心線Ｄ１に沿った方向に配置されている。ハンドル２０における長手方向の第１端部に第１接続部２０Ｄが設けられ、ハンドル２０における長手方向の第２端部に第２接続部２０Ｅが設けられている。第１接続部２０Ｄ及び第２接続部２０Ｅは、中心線Ｄ１方向に間隔をおいて配置されている。
【００２５】この動力工具１００において、ハンドル２０は、本体１の前後方向で制御ケース１Ｄ及びギヤケース１Ｃの後方に取り付けられている。ハンドル２０内の構造の具体例を、順次説明する。
【００２６】（具体例１）スイッチ１０がハンドル２０内に設けられている。スイッチ１０はオン・オフ信号を出力し、スイッチ１０の信号は制御部１４１に入力される。スイッチ１０がオンされると、制御部１４１はインバータ回路を接続する。すると、電力ケーブル２０Ｆを介して電動モータ５０に電圧が印加され、電動モータ５０が駆動、つまり回転する。スイッチ１０がオフされると、制御部１４１はインバータ回路を遮断する。すると、電動モータ５０に電圧が印加されず、電動モータ５０は停止する。
【００２７】図２Ａ、図２Ｂ及び図２Ｃのように、スイッチ１０は、スイッチピン１０Ａ及び弾性部材１０Ｂを有する。スイッチピン１０Ａは、前後方向に移動可能であり、弾性部材１０Ｂは、スイッチピン１０Ａを前方に付勢する。弾性部材１０Ｂは、例えば金属製のスプリングである。
【００２８】スイッチ１０の前方には、このスイッチ１０のオン・オフを切り替えるためのトリガ３０が設けられている。トリガ３０の一部はハンドル２０内に配置され、トリガ３０の一部は、ハンドル２０の表面から前方に露出して、空間９７に位置している。トリガ３０に操作力を加えて後方に移動するとスイッチ１０はオンとなる。トリガ３０をスイッチ１０がオンされた状態に保持するトリガ固定部４０が設けられている。トリガ固定部４０は、トリガ３０の上側において、トリガ３０と同様にハンドル２０の表面から前方に露出するように設けられる。使用者がハンドル２０を手で把持した状態において、トリガ３０やトリガ固定部４０を指で操作することができる。
【００２９】トリガ３０は、操作力が入力されていないと、電動モータ５０の停止に対応する第２状態に保持される。これに対して、トリガ３０に操作力が加えられる、つまり、図２Ａで後方に引かれると、トリガ３０とスイッチ１０におけるスイッチピン１０Ａとが当接し、スイッチピン１０Ａが後方に向けて押されることによってスイッチ１０がオンとなる。スイッチピン１０Ａは前方に向けて付勢され、スイッチピン１０Ａに外力が加わらない場合にはスイッチ１０はオフとなる。トリガ３０の位置において、スイッチ１０がオンとなる位置が、電動モータ５０の駆動に対応する第１状態である。
【００３０】図２Ａにおいては、トリガ３０及びトリガ固定部４０に外力が加わらない状態が示されている。第１の回動軸３０Ａが、スイッチ１０よりも下側に設けられている。トリガ３０は、第１の回動軸３０Ａを中心として、ハンドル２０に対して矢印Ａ１で示されるように回動可能である。第１の回動軸３０Ａの長手方向は、図１、図２Ａ、図２Ｂ及び図２Ｃにおいて紙面の垂直方向である。第１の回動軸３０Ａは、ハンドル２０に設けらていてもよいし、トリガ３０に設けられていてもよい。
【００３１】トリガ３０のうち、第１の回動軸３０Ａとは反対の端部に係合部３０Ｂが設けられている。また、ハンドル２０の第１接続部２０Ｄに段差部１２２Ａが設けられており、係合部３０Ｂは段差部１２２Ａに接触及び離間可能である。スイッチピン１０Ａはトリガ３０に押し付けられており、トリガ３０は図２Ａ、図２Ｂ、図２Ｃで時計回りに付勢される。使用者がトリガ３０を操作していない場合、スイッチ１０はオフであり、かつ、係合部３０Ｂが段差部１２２Ａに接触してトリガ３０が停止する。スイッチ１０がオフされるようなトリガ３０の位置が、第２状態である。
【００３２】また、トリガ固定部４０はトリガ３０に取り付けられており、トリガ固定部４０は、第２の回動軸４０Ａを中心として矢印Ａ２で示されるように回動可能である。第２の回動軸４０Ａは、第１の回動軸３０Ａと係合部３０Ｂとの間に設けられている。第２の回動軸４０Ａは、トリガ固定部４０またはトリガ３０の何れに設けられていてもよい。第２の回動軸４０Ａは第１の回動軸３０Ａと平行である。
【００３３】また、フック４１がトリガ固定部４０の後端に設けられ、ハンドル２０には、フック４１が係合及び解放可能なピン２１が設けられている。図２Ａのように、トリガ３０が第２状態に保持されていると、フック４１はピン２１から解放されている。
【００３４】さらに、トリガ３０とトリガ固定部４０との間にスプリング３１が設けられている。スプリング３１は、前後方向に伸縮する圧縮スプリングである。スプリング３１は、伸縮方向の第１端部がトリガ３０に接触し、伸縮方向の第２端部がトリガ固定部４０に接触している。このため、トリガ固定部４０は、スプリング３１により反時計回りに付勢されている。トリガ３０の上部にトリガ固定部支持部３２が設けられている。
【００３５】図２Ａのようにトリガ固定部４０に外力が加わらない状態では、トリガ固定部４０の前端の部分であるトリガ固定部先端部４０Ｂが、トリガ固定部支持部３２に係合し、トリガ固定部４０がトリガ３０に対して停止する。この状態において、トリガ３０はハンドル２０の前面側から前方に突出し、トリガ固定部４０はトリガ３０よりも更に前方に突出する。
【００３６】この状態で、使用者がトリガ固定部４０を操作せず、トリガ３０のみを操作してトリガ３０を後方に引いた状態が図２Ｂである。トリガ３０のみを操作すると、トリガ固定部４０のトリガ３０に対する位置関係が変わらず、かつ、トリガ３０が、弾性部材１０Ｂの付勢力に抗して図２Ａで反時計回りに回動するため、トリガ固定部４０は後方に移動し、かつ、後方に傾斜する。このため、フック４１が後方に移動する。
【００３７】この状態で使用者がトリガ３０から手を離せば、図２Ｂに示されるように、フック４１をピン２１に係合させることができる。使用者がトリガ３０から手を離した場合において、ピン２１がフック４１に係合してトリガ固定部４０が固定されるため、トリガ固定部４０と共にトリガ３０も固定される。すなわち、トリガ３０が第１状態で保持される。
【００３８】一方、使用者が図２Ａの状態にあるトリガ固定部４０を後方に引いた場合にも、トリガ３０を図２Ａで反時計回りに回動させることができる。また、使用者が、トリガ３０とトリガ固定部４０の境界部分に触れて、トリガ３０及びトリガ固定部４０を同時に後方に引いた場合も、トリガ３０を図２Ａで反時計回りに回動させることができる。このように、トリガ３０が図２Ａの状態から反時計回りに回動すると同時に、トリガ固定部４０がトリガ３０に対して時計回りに回動した状態が、図２Ｃである。
【００３９】図２Ｃに示すトリガ３０の状態は、図２Ｂに示すトリガ３０の状態と同じである。しかし、トリガ固定部４０は、図２Ａの状態よりも時計回りに回動した状態にある。このため、図２Ｃに示すフック４１の位置は、図２Ｂに示すフック４１の位置よりも上であり、フック４１はピン２１に係合していない。このため、使用者が、図２Ｃの状態にあるトリガ３０及びトリガ固定部４０から手を離すと、スイッチ１０はオフされ、かつ、トリガ３０及びトリガ固定部４０は図２Ａの状態に戻る。このように、使用者が、図２Ｃの状態にあるトリガ３０及びトリガ固定部４０から手を離すと、トリガ３０は第１状態から第２状態に切り替わる。
【００４０】なお、トリガ３０が図２Ｂのように第１状態に保持されている際、トリガ３０を第１状態に保持する機能を解除するためには、図２Ｂの状態からトリガ３０を後方に引き、かつトリガ固定部４０を時計回りに回動させることが必要である。ここで、トリガ３０が第１状態に保持されている際でも、スイッチピン１０Ａは後方にわずかに移動可能であり、トリガ３０は引き代がある。このため、トリガ３０を第１状態から後方に引くことができる。また、トリガ固定部４０を時計回りに回動させるためには、トリガ固定部４０を後方に引けばよい。この操作によって、フック４１が図２Ｂの状態から、後方かつ上方に移動するため、フック４１がピン２１から解放される。その後、使用者がトリガ３０及びトリガ固定部４０から手を離せば、トリガ３０及びトリガ固定部４０は図２Ａの状態となり、スイッチ１０はオフとなる。また、係合部３０Ｂが段差部１２２Ａに接触し、トリガ３０は第２状態で停止する。
【００４１】これに対して、トリガ３０及びトリガ固定部４０が図２Ｂの状態にある際に、トリガ３０のみを操作しても、フック４１がピン２１から解放されない。このため、トリガ３０を第１状態から第２状態に切り替えることはできない。また、トリガ固定部４０を付勢するスプリング３１の弾性力を強くすることで、トリガ３０に弱い力が加わったとしても、フック４１がピン２１から解放されないようにすることもできる。
【００４２】これに対し、トリガ３０及びトリガ固定部４０が図２Ｂの状態にある際に、トリガ３０を後方に操作すると同時に、トリガ固定部４０を時計回りに回動させると、フック４１がピン２１から解放される。このため、トリガ３０を第１状態から第２状態に切り替えることができる。
【００４３】上記の動作において、トリガ３０とトリガ固定部４０の相対的な位置、つまり、第２の回動軸４０Ａの周りにおけるトリガ固定部４０の角度は、スイッチ１０がオフである図２Ａの場合と、スイッチ１０がオンである図２Ｂの場合とで変わらない。ここで、トリガ３０が図２Ａの状態にあり、スイッチ１０がオフである場合は、トリガ３０は第２状態で停止している。これに対して、トリガ３０が図２Ｂの状態となりスイッチ１０がオンとされた場合に、トリガ３０は第１状態に保持される。
【００４４】一方、トリガ３０とトリガ固定部４０の相対的な位置は、図２Ｂのように、スイッチ１０がオンとなり、かつ、トリガ３０が第１状態に保持される場合と、スイッチ１０がオンとなり、かつ、トリガ３０が第１状態に保持されない図２Ｃの場合と、で異なる。
【００４５】すなわち、この動力工具１００においては、スイッチ１０がオンである際、トリガ３０に対するトリガ固定部４０の位置が、図２Ｂの状態にある場合には、トリガ３０は第１状態に保持される。つまり、使用者がトリガ固定部４０には触れず、トリガ３０のみを操作してスイッチ１０をオンとした場合は、自動的にトリガ３０は第１状態で固定される。こに対して、スイッチ１０がオンである場合でも、トリガ３０に対するトリガ固定部４０の位置が図２Ｃの状態にある場合は、トリガ３０は第１状態に保持されない。
【００４６】一方、使用者がトリガ固定部４０を操作してスイッチ１０をオンとした場合、あるいはトリガ固定部４０とトリガ３０を共に操作してスイッチ１０をオンとした場合には、トリガ３０は第１状態に固定されず、使用者がトリガ３０及びトリガ固定部４０から手を離せば、トリガ３０は弾性部材１０Ｂの付勢力で第２状態に戻る。
【００４７】このため、上記の動力工具１００においても、トリガ３０を操作し、かつ、操作を解除すると、トリガ３０を自動的に第２状態に戻す動作と、トリガ３０を第１状態に固定する動作とを切り替えて行わせることができる。
【００４８】一方、トリガ３０を第１状態から第２状態に切り替えるためには、トリガ固定部４０を時計回りに回動させる、という操作が必要である。このため、トリガ３０のみに触れても、トリガ３０の固定は解除されず、トリガ３０の固定が誤って解除される可能性が大幅に低減される。この際、トリガ固定部４０はトリガ３０に取り付けられており、新たなスイッチ類は追加されない。したがって、構造が単純で部品点数を増加させることなく、上記の構成を実現することができる。また、作業者がハンドル２０を持ち替えたりすることなく、トリガ３０及びトリガ固定部４０の両方を片手で操作することができるため、良好な操作性を実現できる。
【００４９】フック４１がピン２１に係合していると、トリガ３０は第１状態に保持される。フック４１がピン２１に係合している際、トリガ固定部４０の状態は、ロック状態である。フック４１がピン２１から解放されていると、トリガ３０は第１状態と第２状態とで切り替わることが可能である。フック４１がピン２１から解放されている際、トリガ固定部４０の状態は、アンロック状態である。
【００５０】（具体例２）ハンドルに対するトリガ及びトリガ固定部の取り付け構造の具体例２が、図３Ａ、図３Ｂ及び図３Ｃに示されている。ここで用いられるハンドル１２０は、モータケース１Ａに取り付けられている。ハンドル１２０に、スイッチ１０、トリガ６０が設けられている。ハンドル１２０は、トリガ固定部支持部１２２及び段差部１２２Ａを有する。トリガ６０は、第１の回動軸６０Ａを中心として矢印Ａ１で示されるように回動可能である。トリガ６０は、長手方向で第１の回動軸６０Ａとは反対の端部に係合部３０Ｂを有する。トリガ６０が回動すると、係合部３０Ｂは、段差部１２２Ａに接触または離間する。
【００５１】トリガ固定部７０がトリガ６０に取り付けられている。トリガ固定部７０は、トリガ６０に対して上下方向に移動可能に取り付けられている。トリガ６０にガイドレール６０Ｂが設けられ、トリガ固定部７０にガイド溝７０Ｄが設けられている。ガイドレール６０Ｂはガイド溝７０Ｄに配置されている。トリガ固定部７０は、図３Ａにおける矢印Ａ３の方向、すなわち、トリガ６０の長手方向に移動可能である。図３Ａにおいて、トリガ６０の移動方向である前後方向に対して交差する方向に、トリガ固定部７０が移動可能である。
【００５２】スプリング６１が、トリガ固定部７０とトリガ６０との間に設けられている。トリガ固定部７０は、スプリング６１により図３Ａで上側、つまり、トリガ固定部支持部１２２に向けて付勢される。また、トリガ固定部７０は、トリガ固定部前面７０Ａを有し、トリガ固定部前面７０Ａは、指が掛かりやすいような凹形状である。トリガ固定部７０は、トリガ固定部上面７０Ｂを有し、トリガ固定部上面７０Ｂの後方に、上側に向かって凸となる段差部７０Ｃが接続されている。
【００５３】図３Ａに示すトリガ６０に操作力が加えられていない場合、スイッチピン１０Ａがトリガ６０に押し付けられ、係合部３０Ｂが段差部１２２Ａに接触してトリガ６０が停止している。つまり、スイッチ１０はオフであり、トリガ６０は第２状態に保持されている。また、トリガ固定部７０は、スプリング６１の付勢力でトリガ固定部支持部１２２に押し付けられて停止している。
【００５４】使用者が、図３Ａに示すトリガ６０に操作力を加えて、トリガ６０が第１の回動軸６０Ａを中心として反時計回りに回動すると、トリガ固定部上面７０Ｂは、トリガ固定部支持部１２２に沿って移動する。また、トリガ６０が、図３Ｂのようにスイッチピン１０Ａを弾性部材１０Ｂに抗して移動させると、スイッチ１０がオンされる。トリガ６０が反時計回りに回動する過程で、段差部７０Ｃが、段差部１２２Ａよりも後方に移動すると、トリガ固定部７０はスプリング６１の付勢力で上側に動作する。
【００５５】ここで、使用者がトリガ６０から指を離すと、段差部７０Ｃが段差部１２２Ａに係合する。このため、トリガ６０は図３Ｂの状態から時計回りに回動することなく、スイッチ１０はオンした状態に維持される。つまり、トリガ６０は第１状態に保持される。また、段差部７０Ｃが段差部１２２Ａに係合している際、トリガ固定部７０の状態は、ロック状態である。
【００５６】トリガ６０が図３Ｂのように第１状態に保持されている際に、トリガ６０のみを後方に引いても、トリガ６０は第１状態から第２状態に切り替わらない。これに対して、使用者が指をトリガ固定部前面７０Ａにかけ、トリガ固定部７０をスプリング６１の付勢力に抗して図３Ｂで下側に動作させると、段差部７０Ｃが段差部１２２Ａから解放される。段差部７０Ｃが段差部１２２Ａから解放された状態で、使用者がトリガ固定部７０及びトリガ６０から指を離すと、トリガ６０は弾性部材１０Ｂの付勢力により、図３Ｂで時計回りに回動し、スイッチ１０がオフされる。そして、係合部３０Ｂが図３Ａのように、段差部１２２Ａに接触すると、トリガ６０は第１状態で停止する。このように、トリガ固定部７０が、トリガ６０が第１状態と第２状態とで切り替わることを許容する際、トリガ固定部７０の状態はアンロック状態である。
【００５７】ところで、トリガ６０が図３Ｂの状態にあると、トリガ６０は弾性部材１０Ｂにより前方に付勢されている。そして、段差部７０Ｃと段差部１２２Ａとの接触箇所に摩擦力が生じる。図３Ｂに示されるように段差部７０Ｃが段差部１２２Ａに係止された状態で、トリガ固定部７０を下側に移動させるためには、大きな力が必要である。このため、トリガ固定部７０に対して下向きに加える力が小さい場合は、トリガ６０は第１状態から第２状態に切り替わらない。
【００５８】一方、トリガ６０及びトリガ固定部７０が図３Ａの状態にある際に、使用者がトリガ固定部前面７０Ａに指をかけてトリガ固定部７０を操作しても、トリガ６０を第２状態から第１状態に切り替えることができる。図３Ｃは、使用者がトリガ固定部前面７０Ａに指をかけてトリガ固定部７０を操作し、トリガ６０を第２状態から第１状態に切り替える例を示す。
【００５９】使用者の指がトリガ固定部前面７０Ａにかかっていると、トリガ固定部７０はスプリング６１の付勢力で移動しない。そして、図３Ｃのように、スイッチ１０がオンとなった後、使用者がトリガ固定部７０から指を離してトリガ６０が前方に移動する際に、トリガ固定部７０が、図３Ｂのように上側に移動する前に、段差部７０Ｃが、段差部１２２Ａよりも前方に位置するように、弾性部材１０Ｂの付勢力、段差部７０Ｃと段差部１２２Ａとの位置関係を設定することができる。
【００６０】この場合、使用者がトリガ固定部７０から指を離せば、トリガ６０は弾性部材１０Ｂの付勢力で図３Ｃにおいて時計回りに回動し、スイッチ１０はオフとなる。すなわち、使用者がトリガ６０を第１状態にしても、トリガ固定部前面７０Ａから指を離せば、トリガ６０は弾性部材１０Ｂの付勢力で自動的に第２状態に戻る。
【００６１】このように、図３Ａ、図３Ｂ及び図３Ｃに示す具体例２においても、トリガ６０が第１状態にあり、かつ、トリガ固定部７０がロック状態にあると、トリガ６０は第１状態に保持される。一方、トリガ６０が第１状態にある場合でも、トリガ固定部７０がアンロック状態にあると、トリガ６０は第１状態から第２状態に切り替わることが許容される。
【００６２】これにより、トリガ６０及びトリガ固定部７０が図３Ａの状態にある際に、使用者がトリガ固定部７０には触れず、トリガ６０のみを後方に引いてスイッチ１０をオンすると、トリガ６０は、図３Ｂのように第１状態で固定される。
【００６３】一方、トリガ６０及びトリガ固定部７０が図３Ａの状態にある際、使用者がトリガ固定部７０を押さえつつトリガ６０を引いて図３Ｂの状態として、スイッチ１０をオンした場合、トリガ６０は第１状態に固定されない。このため、トリガ６０及びトリガ固定部７０が図３Ｂの状態にある際に、使用者がトリガ６０及びトリガ固定部７０から指を離すと、トリガ６０は弾性部材１０Ｂの付勢力で、第１状態から第２状態に切り替わり、トリガ６０は図３Ａの状態に戻る。
【００６４】このように、図３Ａ、図３Ｂに示す具体例２の構成においても、上記の動力工具１００と同様の動作が可能である。そして、トリガ６０が、図３Ｂに示ように第１状態に固定されている際に、トリガ６０を第１状態から第２状態に切り替えるためには、トリガ６０を後方に引くと共に、トリガ固定部７０をスプリング６１に抗して下向きに移動させる動作が必要である。このため、トリガ６０のみに触れる、あるいはトリガ固定部７０に軽く触れた程度では、トリガ６０は第１状態から第２状態に切り替わらない。したがって、トリガ６０の第１状態における固定が、誤って解除される可能性を低減できる。また、新たなスイッチ類は追加されないため、構造が単純で部品点数を増加させることなく、図３Ａ、図３Ｂの構成を実現することができる。
【００６５】なお、図２Ａ、図２Ｂ及び図２Ｃの構成においては、トリガ固定部４０がトリガ３０に取り付けられている。図３Ａ、図３Ｂ及び図３Ｃの構成においては、トリガ固定部７０がトリガ６０に取り付けられている。このようにトリガ固定部とトリガとを別部品として製造した後に、これらを組み合わせて上記のような構成を実現することができる。
【００６６】しかし、トリガを弾性材料で構成した場合には、上記のような機能をもつトリガ固定部とトリガとを一体化して形成することも可能である。こうした場合には、トリガのうち、使用者により操作される箇所に、機能が異なる第１操作面及び第２操作面を設けることによって、トリガを移動する操作と、トリガを第１状態に固定する操作とを、トリガ単独で実現することも可能である。第１操作面はトリガを回動させるために操作力を加える箇所である。第２操作面は、トリガをスイッチをオンとした後、トリガに外力が加わらない状態では、トリガをスイッチがオンした状態に保持するための動作固定操作面である。動作固定操作面は、図２においてはトリガ固定部４０よりも下側におけるトリガ３０の前面である。動作固定操作面は、図３においてはトリガ固定部７０よりも下側におけるトリガ６０の前面である。第１操作面は、トリガ６０を後方に操作してスイッチ１０をオンした後、トリガ６０に外力が加わらない状態では、スイッチがオフされるようにする非固定操作面である。図２における第１操作面は、トリガ固定部４０の前面である。図３における第１操作面は、トリガ固定部７０のトリガ固定部前面７０Ａである。すなわち、このような動作固定操作面と非固定操作面とを、単一のトリガに設けることによって、上記の動作を実現させてもよい。
【００６７】（具体例３）図４Ａ、図４Ｂ及び図４Ｃは、トリガ１０１及びトリガ固定部１０２の具体例３を示す。トリガ１０１は、ハンドル２０に対して第１の回動軸１０３を中心として回動可能である。第１の回動軸１０３は、トリガ１０１またはハンドル２０の何れに設けられていてもよい。トリガ１０１は、ハンドル２０の第１接続部２０Ｄと第１の回動軸１０３との間に配置されている。スイッチピン１０Ａは弾性部材１０Ｂの付勢力でトリガ１０１に押し付けられている。トリガ１０１は第１の回動軸１０３を中心として、図４Ａで時計回りに付勢されている。トリガ１０１の自由端は、第１接続部２０Ｄと第１の回動軸１０３との間に配置され、トリガ１０１の自由端に係合部１０４が設けられている。
【００６８】トリガ１０１は収容部１０５を有する。収容部１０５は、トリガ１０１の自由端と第１の回動軸１０３との間に形成された空間である。トリガ１０１において、収容部１０５と第１の回動軸１０３との間に、操作部１０６が形成されている。操作部１０６は、トリガ１０１のうち、空間９７に露出する箇所である。収容部１０５の内面から突出した突出部１０７が設けられている。
【００６９】トリガ固定部１０２は収容部１０５に配置されており、トリガ固定部１０２は第２の回動軸１０８を中心として、または支点として回動可能である。第２の回動軸１０８は、トリガ固定部１０２またはトリガ１０１の何れに設けられていてもよい。トリガ固定部１０２のうち、空間９７に露出する箇所に第１副操作部１０９及び第２副操作部１１０が設けられている。操作部１０６、第１副操作部１０９及び第２副操作部１１０は、トリガ１０１の長手方向に設けられている。トリガ１０１の長手方向で、第２副操作部１１０は、操作部１０６と第１副操作部１０９との間に配置されている。トリガ固定部１０２に弾性部材、例えば、金属製のリーフスプリング１１１が取り付けられている。リーフスプリング１１１は突出部１１２を有し、トリガ固定部１０２が第２の回動軸１０８を中心として回動すると、突出部１１２は突出部１０７を乗り越える。
【００７０】トリガ固定部１０２はフック１１３を有する。フック１１３は、ハンドル２０内に配置されている。フック１１３は、スイッチ１０に近づく向きで湾曲している。ハンドル２０内にピン１１４が設けられている。フック１１３は、第１接続部２０Ｄとピン１１４との間に配置されている。フック１１３はピンに１１４対して係合及び解放が可能である。ピン１１４に接続されたストッパ１１４Ａが設けられている。ストッパ１１４Ａは、トリガ固定部１０２に向けて延ばされている。第１接続部２０Ｄは段差部１２２Ａを有する。係合部１０４は、段差部１２２Ａに対して接触及び離間が可能である。
【００７１】使用者が、図４Ａに示すトリガ１０１及びトリガ固定部１０２を操作していない場合、係合部１０４が段差部１２２Ａに押し付けられて、トリガ１０１が停止している。また、スイッチ１０はオフされている。つまり、トリガ１０１は第２状態で停止している。突出部１１２が突出部１０７に乗り上げた状態で、トリガ固定部１０２はトリガ１０１に対して停止している。突出部１１２が突出部１０７に乗り上げた状態で、トリガ固定部１０２がトリガ１０１に対して停止している状態を、トリガ固定部１０２の待機状態と呼ぶ。トリガ固定部１０２が待機状態にあると、フック１１３はピン１１４から解放されている。
【００７２】ここで、使用者が、図４Ａに示す第１副操作部１０９に操作力を加えても、フック１１３の先端がストッパ１１４Ａに接触するため、トリガ固定部１０２は第２の回動軸１０８を中心とする回動が規制され、トリガ固定部１０２は、待機状態に保持される。
【００７３】使用者が図４Ａに示すトリガ１０１の操作部１０６に操作力を加え、トリガ１０１を反時計回りに回動させると、スイッチピン１０Ａは、図４Ｂのように弾性部材１０Ｂの付勢力に抗して動作し、スイッチ１０はオンする。つまり、図４Ｂに示すトリガ１０１は第１状態である。トリガ固定部１０２は待機状態で停止している。
【００７４】トリガ１０１が図４Ｂのように第１状態にある際、トリガ１０１に加わる操作力が低下すると、トリガ１０１は弾性部材１０Ｂの付勢力で時計回りに回動し、スイッチ１０はオフする。そして、係合部１０４が図４Ａのように段差部１２２Ａに接触すると、トリガ１０１は第２状態で停止する。このように、フック１１３がピン１１４から解放されていると、トリガ１０１に加える操作力の大きさに応じて、トリガ１０１は第１状態と第２状態とに切り替え可能である。フック１１３がピン１１４から解放されている状態が、トリガ固定部１０２のアンロック状態である。
【００７５】トリガ１０１が図４Ｂのように第１状態にある際に、使用者がトリガ固定部１０２の第１副操作部１０９に操作力を加えると、トリガ固定部１０２は図４Ｂで反時計回りに回動する。すると、突出部１１２が突出部１０７を乗り越え、かつ、図４Ｃのようにフック１１３がピン１１４に係合し、突出部１１２は突出部１０７と操作部１０６との間で停止する。このように、フック１１３がピン１１４に係合し、かつ、突出部１１２が突出部１０７と操作部１０６との間で停止している状態は、トリガ固定部１０２のロック状態である。トリガ固定部１０２がロック状態にあると。使用者がトリガ１０１に加える操作力の大きさに関わり無く、トリガ１０１は第１状態に保持される。
【００７６】トリガ１０１が図４Ｃのように第１状態で保持されている際に、使用者が第２副操作部１１０に操作力を加えると、トリガ固定部１０２は図４Ｃで時計回りに回動する。すると、突出部１１２は図４Ｂのように突出部１０７に乗り上げる。また、フック１１３は、ピン１１４から解放され、トリガ固定部１０２は待機状態になる。さらに、第２副操作部１１０に加わる操作力が低下するか、または、トリガ１０１に加わる操作力が低下すると、トリガ１０１は図４Ｂで時計回りに回動する。すると、スイッチ１０がオフし、かつ、図４Ａのように係合部１０４が段差部１２２Ａに接触し、トリガ１０１は第２状態で停止する。
【００７７】このように、トリガ１０１及びトリガ固定部１０２の具体例３において、トリガ固定部１０２がロック状態にあり、トリガ１０１が第１状態に保持されていると、トリガ１０１に加わる操作力が増加しても、トリガ１０１が第１状態から第２状態に誤って切り替わることがない。また、トリガ固定部１０２はトリガ１０１に取り付けられているため、解除ボタンを専用で設けずに済む。このため、ハンドル２０のうち作業者が手で把持する部分を拡大できるとともに、動力工具１００の全体が大型化することを抑制できる。また、作業者がハンドル２０を持ち替えたりすることなく、トリガ１０１及びトリガ固定部１０２との両方を片手で操作することができるため、良好な操作性を実現できる。
【００７８】さらに、トリガ固定部１０２がアンロック状態にあると、トリガ１０１に加える操作力を変更することにより、トリガ１０１を第１状態と第２状態とに切り替え可能である。したがって、使用者の操作性が向上する。
【００７９】（具体例４）図５Ａ、図５Ｂ及び図５Ｃは、トリガ１０１及びトリガ固定部１０２の具体例４を示す。具体例４と具体例３とを比べると、トリガ固定部１０２が異なる。具体例４における第１副操作部１０９は、第２副操作部１１０と操作部１０６との間に設けられている。フック１１３はスイッチ１０から離れる向きで湾曲している。
【００８０】使用者が、図５Ａに示すトリガ１０１及びトリガ固定部１０２を操作していない場合、係合部１０４が段差部１２２Ａに押し付けられて、トリガ１０１が停止している。また、スイッチ１０はオフされている。突出部１１２は突出部１０７と操作部１０６との間で停止している。突出部１１２が突出部１０７と操作部１０６との間で停止している状態を、トリガ固定部１０２の待機状態と呼ぶ。トリガ固定部１０２が待機状態にあると、フック１１３はピン１１４から解放されている。
【００８１】使用者がトリガ１０１の操作部１０６に操作力を加えて、トリガ１０１を図５Ａで反時計回りに回動させると、スイッチピン１０Ａは、図５Ｂのように弾性部材１０Ｂの付勢力に抗して動作し、スイッチ１０はオンする。つまり、図５Ｂに示すトリガ１０１は第１状態である。また、トリガ固定部１０２は待機状態で停止している。
【００８２】トリガ１０１が図５Ｂのように第１状態にある際、トリガ１０１に加わる操作力が低下すると、トリガ１０１は弾性部材１０Ｂの付勢力で時計回りに回動し、スイッチ１０はオフする。そして、係合部１０４が図５Ａのように段差部１２２Ａに接触し、トリガ１０１は第２状態で停止する。このように、フック１１３がピン１１４から解放されていると、トリガ１０１に加える操作力の大きさに応じて、トリガ１０１を第１状態と第２状態とに切り替え可能である。フック１１３がピン１１４から解放されている状態が、トリガ固定部１０２のアンロック状態である。
【００８３】トリガ１０１が図５Ｂのように第１状態である際に、第１副操作部１０９に操作力を加えると、トリガ固定部１０２は図５Ｂで時計回りに回動する。すると、突出部１１２が図５Ｃのように突出部１０７に乗り上げ、フック１１３がピン１１４に係合する。このように、フック１１３がピン１１４に係合し、かつ、突出部１１２が突出部１０７を乗り越えて停止している状態が、トリガ固定部１０２のロック状態である。トリガ固定部１０２がロック状態にあると。トリガ１０１に加わる操作力の大きさに関わり無く、トリガ１０１は第１状態に保持される。
【００８４】トリガ１０１が図５Ｃのように第１状態で保持されている際に、使用者が第２副操作部１１０に操作力を加えると、トリガ固定部１０２は反時計回りに回動する。すると、突出部１１２は突出部１０７を乗り越え、図５Ｂのように、トリガ固定部１０２は待機状態になる。また、フック１１３はピン１１４から解放される。さらに、第２副操作部１１０に加わる操作力が低下するか、または、トリガ１０１に加わる操作力が低下すると、トリガ１０１は図５Ｂで時計回りに回動する。すると、スイッチ１０がオフし、かつ、図５Ａのように係合部１０４が段差部１２２Ａに接触し、トリガ１０１は第２状態で停止する。
【００８５】このように、トリガ１０１及びトリガ固定部１０２の具体例４において、トリガ固定部１０２がロック状態にあることにより、トリガ１０１が第１状態に保持されていると、トリガ１０１に加わる操作力が増加しても、トリガ１０１が第１状態から第２状態に誤って切り替わることがない。また、トリガ固定部１０２はトリガ１０１に取り付けられているため、解除ボタンを専用で設けずに済む。このため、ハンドル２０のうち作業者が手で把持する部分を拡大できるとともに、動力工具１００の全体が大型化することを抑制できる。また、作業者がハンドル２０を持ち替えたりすることなく、トリガ１０１及びトリガ固定部１０２の両方を片手で操作することができるため、良好な操作性を実現できる。
【００８６】さらに、トリガ固定部１０２がアンロック状態にあると、トリガ１０１に加える操作力を変更することにより、トリガ１０１を第１状態と第２状態とに切り替え可能である。したがって、使用者の操作性が向上する。
【００８７】（具体例５）図６Ａ、図６Ｂ、図６Ｃ及び図６Ｄは、トリガ１０１及びトリガ固定部１０２の具体例５を示す。具体例５と具体例３とを比べると、ストッパ１１４Ａの位置が異なる。ストッパ１１４Ａは、ピン１１４から下方、具体的にはスイッチ１０に近づく向きで傾斜している。
【００８８】具体例５におけるトリガ１０１及びトリガ固定部１０２の動作は、具体例３におけるトリガ１０１及びトリガ固定部１０２の動作と同じである。使用者が、図６Ａに示すトリガ１０１及びトリガ固定部１０２を操作していない場合、トリガ１０１が停止し、スイッチ１０はオフされている。つまり、トリガ１０１は第２状態で停止している。また、トリガ固定部１０２の待機状態にある。
【００８９】使用者が、図６Ａに示すトリガ１０１の操作部１０６に操作力を加えて、トリガ１０１を反時計回りに回動させるとスイッチ１０はオンし、トリガ１０１は図６Ｂのように第１状態になる。トリガ固定部１０２は待機状態で停止している。
【００９０】トリガ１０１が図６Ｂのように第１状態にある際、トリガ１０１に加わる操作力が低下すると、トリガ１０１は時計回りに回動してスイッチ１０はオフし、トリガ１０１は図６Ａの第２状態で停止する。このように、フック１１３がピン１１４から解放されていると、トリガ１０１に加える操作力の大きさに応じて、トリガ１０１は第１状態と第２状態とに切り替え可能である。
【００９１】トリガ１０１が図６Ｂのように第１状態である際に、使用者が第１副操作部１０９に操作力を加えると、トリガ固定部１０２が反時計回りに回動し、突出部１１２が図６Ｃのように突出部１０７を乗り越える。また、フック１１３がピン１１４に係合し、突出部１１２は突出部１０７と操作部１０６との間で停止する。このように、フック１１３がピン１１４に係合すると、トリガ１０１に加わる操作力の大きさに関わり無く、トリガ１０１は第１状態に保持される。
【００９２】トリガ１０１が図６Ｃのように第１状態で保持されている際に、使用者が第２副操作部１１０に操作力を加えると、トリガ固定部１０２は時計回りに回動する。すると、フック１１３は、図６Ｂのようにピン１１４から解放される。さらに、第２副操作部１１０に加わる操作力が低下するか、または、トリガ１０１に加わる操作力が低下すると、トリガ１０１は図６Ｂで時計回りに回動してスイッチ１０がオフし、トリガ１０１は、図６Ａに示す第２状態で停止する。
【００９３】このように、トリガ１０１及びトリガ固定部１０２の具体例５は、トリガ１０１及びトリガ固定部１０２の具体例３と同様の効果を得ることができる。トリガ１０１及びトリガ固定部１０２の具体例５は、トリガ１０１が図６Ａに示す第２状態で停止している際に、使用者が第１副操作部１０９に操作力を加えると、トリガ固定部１０２は第２の回動軸１０８を中心として反時計回りに回動する。このため、突出部１１２は図６Ｄのように、突出部１０７を乗り越える。また、フック１１３の先端がストッパ１１４Ａに接触し、トリガ固定部１０２が停止する。なお、トリガ１０１は第２状態で停止しており、スイッチ１０はオフされている。
【００９４】そして、使用者が、図６Ｄに示すトリガ１０１に操作力を加えると、トリガ１０１は、図６Ｄで反時計回りに回動し、スイッチ１０がオンされる。また、トリガ１０１が図６Ｄで反時計回りに回動する過程で、フック１１３はストッパ１１４Ａに接触したまま滑る。このため、トリガ固定部１０２は図６Ｄで時計回りに回動し、フック１１３がスイッチ１０から離れる向きに付勢される。この作用により、突出部１１２は、図６Ｂに示すように突出部１０７を乗り越え、トリガ固定部１０２が停止する。
【００９５】さらに、トリガ固定部１０２が図６Ｂのように停止している状態で、第１副操作部１０９に操作力を加えると、トリガ固定部１０２が図６Ｂで反時計回りに回動して、フック１１３はピン１１４に係合し、トリガ１０１は図６Ｃのように第１状態で保持される。
【００９６】これに対して、トリガ固定部１０２が図６Ｂのように停止している状態で、トリガ１０１に加えられる操作力が低下するか、または、第２副操作部１１０に加えられる操作力が低下すると、トリガ１０１が図６Ｂで時計回りに回動してスイッチ１０がオフされ、トリガ１０１は、図６Ａに示す第２状態で停止する。
【００９７】トリガ１０１及びトリガ固定部１０２の具体例５においては、先ず、トリガ固定部１０２の第１副操作部１０９に操作力を加えて、トリガ固定部１０２を図６Ａで反時計回りに回動させて、トリガ固定部１０２を図６Ｄに示す状態にすることが可能である。次いで、使用者がトリガ１０１を操作して、スイッチ１０をオンすることができる。したがって、使用者が操作可能な選択肢が増える。
【００９８】（具体例６）トリガ１０１及びトリガ固定部１０２の具体例６を、図７を参照して説明する。図７において、図４Ａ、図４Ｂ及び図４Ｃと同じ要素について、同じ符号を付してある。トリガ固定部１０２は、保持孔１１５を有し、接触子１１６が保持孔１１５内に移動可能に設けられている。接触子１１６は、第２の回動軸１０８を中心とする径方向に移動可能である。スプリング１１７が保持孔１１５内に設けられ、スプリング１１７は圧縮スプリングである。スプリング１１７は接触子１１６を突出部１０７に向けて付勢する。
【００９９】使用者が、トリガ１０１及びトリガ固定部１０２を操作していない場合、スイッチ１０はオフされ、かつ、トリガ１０１は第２状態で停止している。また、接触子１１６が突出部１０７に乗り上げた状態で、トリガ固定部１０２はトリガ１０１に対して停止している。接触子１１６が突出部１０７に乗り上げた状態で、トリガ固定部１０２がトリガ１０１に対して停止している状態を、トリガ固定部１０２の待機状態と呼ぶ。トリガ固定部１０２が待機状態にあると、フック１１３はピン１１４から解放されている。
【０１００】使用者がトリガ１０１の操作部１０６に操作力を加えて、トリガ１０１を図７で反時計回りに回動させると、スイッチ１０がオンし、トリガ１０１が第１状態になる。
【０１０１】トリガ１０１が第１状態にある際、トリガ１０１に加わる操作力が低下すると、トリガ１０１は時計回りに回動してスイッチ１０はオフし、トリガ１０１は第２状態で停止する。このように、フック１１３がピン１１４から解放されていると、トリガ１０１に加える操作力の大きさに応じて、トリガ１０１は第１状態と第２状態とに切り替え可能である。
【０１０２】トリガ１０１が第１状態である際に、第１副操作部１０９に操作力を加えると、トリガ固定部１０２は反時計回りに回動する。すると、接触子１１６が突出部１０７を乗り越え、フック１１３がピン１１４に係合し、接触子１１６は突出部１０７と操作部１０６との間で停止する。フック１１３がピン１１４に係合し、かつ、接触子１１６が突出部１０７と操作部１０６との間で停止している状態は、トリガ固定部１０２のロック状態である。トリガ固定部１０２がロック状態にあると。トリガ１０１に加わる操作力の大きさに関わり無く、トリガ１０１は第１状態に保持される。
【０１０３】トリガ１０１が第１状態で保持されている際に、使用者が第２副操作部１１０に操作力を加えると、トリガ固定部１０２は時計回りに回動する。すると、接触子１１６は突出部１０７を乗り越え、フック１１３はピン１１４から解放され、トリガ固定部１０２は待機状態になる。さらに、第２副操作部１１０に加わる操作力が低下するか、または、トリガ１０１に加わる操作力が低下すると、トリガ１０１は時計回りに回動する。すると、スイッチ１０がオフし、かつ、トリガ１０１は第２状態で停止する。このように、トリガ１０１及びトリガ固定部１０２の具体例６は、トリガ１０１及びトリガ固定部１０２の具体例３と同様の効果を有する。
【０１０４】電動モータ５０は、動力源の一例であり、第２の回動軸４０Ａ，１０８、ガイドレール６０Ｂは、支持部の一例であり、第１の回動軸３０Ａ，６０Ａ，１０３は、回動軸の一例であり、第２の回動軸４０Ａ，１０８は、支持軸の一例である。
【０１０５】動力工具は、上記実施形態に限定されるものではなく、その要旨を逸脱しない範囲で種々変更可能である。例えば、動力工具が電動式のハンマであるものとしたが、動力工具は、ハンマドリル、振動ドリル、ドライバ、ドリルを含む。動力源の動力で作動する先端工具は、直線状に往復運動するもの、回転運動するもの、回転方向の打撃力を受けるもの、直線状の打撃力を受ける者を含む。
【０１０６】動力工具の動力源は、電動モータに限定されず、エンジン、空気圧モータ、油圧モータを含む。トリガによってオン・オフされるスイッチは、電気式スイッチ、機械式スイッチを含む。トリガは回動可能に設けられているものの他、往復動可能に設けられているものを含む。トリガ固定部は、回動可能に設けられているものの他、往復動可能に設けられているものを含む。
【符号の説明】
【０１０７】１…本体、２１，１１４…ピン、３０，６０，１０１…トリガ、３０Ａ，６０Ａ，１０３…第１の回動軸、４０，７０，１０２…トリガ固定部、４０Ａ，１０８…第２の回動軸、４１，１１３…フック、５０…電動モータ、６０Ｂ…ガイドレール、１００…動力工具、１０６…操作部、１０９…第１副操作部、１１０…第２副操作部。
【図１】
0006665945.tif 000002
【図２Ａ】
0006665945.tif 000003
【図２Ｂ】
0006665945.tif 000004
【図２Ｃ】
0006665945.tif 000005
【図３Ａ】
0006665945.tif 000006
【図３Ｂ】
0006665945.tif 000007
【図３Ｃ】
0006665945.tif 000008
【図４Ａ】
0006665945.tif 000009
【図４Ｂ】
0006665945.tif 000010
【図４Ｃ】
0006665945.tif 000011
【図５Ａ】
0006665945.tif 000012
【図５Ｂ】
0006665945.tif 000013
【図５Ｃ】
0006665945.tif 000014
【図６Ａ】
0006665945.tif 000015
【図６Ｂ】
0006665945.tif 000016
【図６Ｃ】
0006665945.tif 000017
【図６Ｄ】
0006665945.tif 000018
【図７】
0006665945.tif 000019
【図８Ａ】
0006665945.tif 000020
【図８Ｂ】
0006665945.tif 000021